(57)【要約】【課題】  高い断熱性を備え、例えば、高温多湿な環境下においても快適な状態を得ることを可能にするルーバ設備とそのようなルーバ設備を使用した建築物を提供すること。【解決手段】  複数枚のルーバ要素を開閉自在な状態で備えてなるルーバ装置と、上記ルーバ装置の内側に間隔を存した状態で設置された内壁と、を具備したルーバ設備に関するものであると共に、上記構成のルーバ設備を用いて壁構造を構築するようにした建築物に関するものであり、ルーバ装置と内壁との間の空間によって高い断熱性を発揮することができ、より快適な環境を提供することができる。【選択図】  図１
2009046917.tif 000002
【特許請求の範囲】
【請求項１】
複数のルーバ要素を開閉自在な状態で備えてなるルーバ装置と、上記ルーバ装置の内側に間隔を存した状態で設置された内壁と、を具備したことを特徴とするルーバ設備。
【請求項２】
請求項１記載のルーバ設備において、
上記内壁は通気性を備えたものであることを特徴とするルーバ設備。
【請求項３】
請求項１記載のルーバ設備において、
上記内壁は光透過性を備えたものであることを特徴とするルーバ設備。
【請求項４】
請求項１〜請求項３の何れかに記載のルーバ設備において、
上記ルーバ装置は予め設定された時間によって上記複数のルーバ要素の開閉及び開度を制御するものであることを特徴とするルーバ設備。
【請求項５】
請求項１〜請求項３の何れかに記載のルーバ設備において、
上記ルーバ装置は雨水検出センサからの信号に基づいて上記複数のルーバ要素の開閉及び開度を制御するものであることを特徴とするルーバ設備。
【請求項６】
請求項１〜請求項３の何れかに記載のルーバ設備において、
上記ルーバ装置は光検出センサからの信号に基づいて上記複数のルーバ要素の開閉及び開度を制御するものであることを特徴とするルーバ設備。
【請求項７】
請求項１〜請求項３の何れかに記載のルーバ設備において、
上記ルーバ装置は温度及び又は湿度検出センサからの信号に基づいて上記複数のルーバ要素の開閉及び開度を制御するものであることを特徴とするルーバ設備。
【請求項８】
請求項１〜請求項７の何れかに記載のルーバ設備において、
上記ルーバ要素はアルミニウム製であることを特徴とするルーバ設備。
【請求項９】
請求項１〜請求項７の何れかに記載のルーバ設備において、
上記ルーバ要素は基端から先端に向かって複数の部材を組み付けることにより一体化されていて、各部材同士を基端から先端に向かう方向に押し付けて係合させることにより一体化されるものであることを特徴とするルーバ設備。
【請求項１０】
請求項１〜請求項９の何れかに記載のルーバ設備を用いて壁構造を構築するようにしたことを特徴とする建築物。
【発明の詳細な説明】
【技術分野】
【０００１】
本発明はルーバ設備とそのルーバ設備を使用して構築した建築物に係り、特に、複数のルーバ要素からなるルーバ装置とその内側に配置される内壁とを組み合わせることにより、断熱効果を高める等様々な作用・効果を得ることができ、例えば、高温多湿な環境下においても快適な生活環境を得ることができるように工夫したものに関する。
【背景技術】
【０００２】
ルーバ装置の構成を開示するものとして、例えば、特許文献１、特許文献２、特許文献３等がある。
【特許文献１】特開２００５−２９０８９６号公報
【特許文献２】特開２００５−３１４９５４号公報
【特許文献３】特開２００７−９３１４６号公報
【０００３】
上記特許文献１、特許文献２、特許文献３に開示されているルーバ装置は概略次のような構成になっている。複数のルーバ要素を所定のピッチで連結し、それらをリンク機構を介して電動モータに連結する。そして、上記電動モータを起動することにより、上記リンク機構を介して上記複数のルーバ要素を開閉するものである。
【０００４】
又、例えば、高温多湿な環境下における各種建築物をみると、出入口や窓を大きくとって、そこに既に説明したようなルーバ装置を組み込んだりしているものがある。
【発明の開示】
【発明が解決しようとする課題】
【０００５】
上記従来の構成によると次のような問題があった。例えば、工場の出入口や窓にルーバ装置を取り付けて開閉することになるが、その際、断熱性が悪いという問題があった。特に、高温多湿な環境下においては快適な状態が得難いという問題があった。
又、建築物を見た場合も同様であり、出入口や窓にルーバ装置を組み込んだ場合には、断熱性が悪いという問題があった。特に、高温多湿な環境下においては快適な状態が得難いという問題があった。
【０００６】
本発明はこのような点に基づいてなされたものでその目的とするところは、高い断熱性を備え、例えば、高温多湿な環境下においても快適な状態を得ることを可能にするルーバ設備とそのようなルーバ設備を使用した建築物を提供することにある。
【課題を解決するための手段】
【０００７】
上記目的を達成するべく本願発明の請求項１によるルーバ設備は、複数のルーバ要素を開閉自在な状態で備えてなるルーバ装置と、上記ルーバ装置の内側に間隔を存した状態で設置された内壁と、を具備したことを特徴とするものである。
又、請求項２によるルーバ設備は、請求項１記載のルーバ設備において、上記内壁は通気性を備えたものであることを特徴とするものである。
又、請求項３によるルーバ設備は、請求項１記載のルーバ設備において、上記内壁は光透過性を備えたものであることを特徴とするものである。
又、請求項４によるルーバ設備は、請求項１〜請求項３の何れかに記載のルーバ設備において、上記ルーバ装置は予め設定された時間によって上記複数のルーバ要素の開閉及び開度を制御するものであることを特徴とするものである。
又、請求項５によるルーバ設備は、請求項１〜請求項３の何れかに記載のルーバ設備において、上記ルーバ装置は雨水検出センサからの信号に基づいて上記複数のルーバ要素の開閉及び開度を制御するものであることを特徴とするものである。
又、請求項６によるルーバ設備は、請求項１〜請求項３の何れかに記載のルーバ設備において、上記ルーバ装置は光検出センサからの信号に基づいて上記複数のルーバ要素の開閉及び開度を制御するものであることを特徴とするものである。
又、請求項７によるルーバ設備は、請求項１〜請求項３の何れかに記載のルーバ設備において、上記ルーバ装置は温度及び又は湿度検出センサからの信号に基づいて上記複数のルーバ要素の開閉及び開度を制御するものであることを特徴とするものである。
又、請求項８によるルーバ設備は、請求項１〜請求項７の何れかに記載のルーバ設備において、上記ルーバ要素はアルミニウム製であることを特徴とするものである。
又、請求項９によるルーバ設備は、請求項１〜請求項７の何れかに記載のルーバ設備において、上記ルーバ要素は基端から先端に向かって複数の部材を組み付けることにより一体化されていて、各部材同士を基端から先端に向かう方向に押し付けて係合させることにより一体化されるものであることを特徴とするものである。
又、請求項１０による建築物は、請求項１〜請求項９の何れかに記載のルーバ設備を用いて壁構造を構築するようにしたことを特徴とするものである。
【発明の効果】
【０００８】
以上述べたように本願発明の請求項１によるルーバ設備は、複数のルーバ要素を開閉自在な状態で備えてなるルーバ装置と、上記ルーバ装置の内側に間隔を存した状態で設置された内壁と、を具備した構成になっているので、ルーバ装置と内壁との間の空間によって高い断熱性を発揮することができ、それによって、より快適な環境を提供することができる。
又、請求項２によるルーバ設備は、請求項１記載のルーバ設備において、上記内壁は通気性を備えたものであるので、上記効果をより高めることができる。
又、請求項３によるルーバ設備は、請求項１記載のルーバ設備において、上記内壁は光透過性を備えたものであるので、光の取り入れに際して有効に機能することになる。
又、請求項４によるルーバ設備は、請求項１〜請求項３の何れかに記載のルーバ設備において、上記ルーバ装置は上記複数のルーバ要素を予め設定された時間によってその開閉及び開度を制御するものであるので、時間帯に対応した最適なルーバ装置の開閉及び開度の状態を得ることができ、より快適な環境を提供することができる。
又、請求項５によるルーバ設備は、請求項１〜請求項３の何れかに記載のルーバ設備において、上記ルーバ装置は上記複数のルーバ要素を雨水検出センサからの信号に基づいてその開閉及び開度を制御するものであるので、降雨の状況に対応した最適なルーバ装置の開閉及び開度の状態を得ることができ、より快適な環境を提供することができる。
又、請求項６によるルーバ設備は、請求項１〜請求項３の何れかに記載のルーバ設備において、上記ルーバ装置は上記複数のルーバ要素を光検出センサからの信号に基づいてその開閉及び開度を制御するものであるので、太陽の位置に対応した最適なルーバ装置の開閉及び開度の状態を得ることができ、より快適な環境を提供することができる。
又、請求項７によるルーバ設備は、請求項１〜請求項３の何れかに記載のルーバ設備において、上記ルーバ装置は上記複数のルーバ要素を温度及び又は湿度検出センサからの信号に基づいてその開閉及び開度を制御するものであるので、温度及び又は湿度に対応した最適なルーバ装置の開閉及び開度の状態を得ることができ、より快適な環境を提供することができる。
又、請求項８によるルーバ設備は、請求項１〜請求項７の何れかに記載のルーバ設備において、上記ルーバ要素はアルミニウム製であるので、高い放熱性を発揮することができ、より快適な環境を提供することができる。
又、請求項９によるルーバ設備は、請求項１〜請求項７の何れかに記載のルーバ設備において、上記ルーバ要素は基端から先端に向かって複数の部材を組み付けることにより一体化されていて、各部材同士を基端から先端に向かう方向に押し付けて係合させることにより一体化されるものであるので、ルーバ要素の組立に際して広い作業空間を要することはなく簡単に組み立てることができる。
又、請求項１０による建築物は、請求項１〜請求項９の何れかに記載のルーバ設備を用いて壁構造を構築するようにしたものであり、例えば、高温多湿な地域における建屋に適用した場合には、より快適な環境を提供することができる。又、そのような建築物を容易に提供することができる。
【発明を実施するための最良の形態】
【０００９】
以下、図１乃至図８を参照して本発明の第１の実施の形態を説明する。まず、本実施の形態によるルーバ設備１は、ルーバ装置３と、このルーバ装置３の内側に設置された内壁５とから構成されている。このような構成をなすルーバ設備１は、建屋７の壁構造として使用されている。
尚、本実施の形態における建屋７の場合は全ての壁を図示するようなルーバ設備１を使用して構築されているものである。
【００１０】
上記ルーバ装置３は次のような構成になっている。まず、複数のルーバ要素１１が鉛直方向に所定のピッチで連設された構成になっている。その連設の構成は次のようなものである。まず、左右に一本ずつ縦方向に延長された支持リンク１３、１３が配置されている。これら一対の支持リンク１３、１３には所定のピッチでルーバ要素支持部材１５が回転可能な状態で取り付けられている。そして、上記支持リンク１３、１３に夫々取り付けられた上記ルーバ要素支持部材１５、１５上に上記ルーバ要素１１が取り付けられている。
【００１１】
又、上記ルーバ要素１１は支持部材１７を介してチャンネル部材１９に対して回転可能な状態で連結されている。ルーバ要素１１はこの回転中心を中心にして回動することになる。
【００１２】
一方、電動モータ２１が設置されていて、この電動モータ２１の回転軸には駆動シャフト２３が連結されている。この駆動シャフト２３の両端は軸受部材２５、２５によって回転可能な状態で保持されている。又、これら軸受部材２５、２５の外側に飛び出した上記駆動シャフト２３の両端にはリンク部材２７、２７が回転可能な状態で連結されている。そして、これらリンク部材２７、２７には別のリンク部材２９、２９が回転可能な状態で連結されている。そして、これらリンク部材２９、２９は既に説明したリンク部材１３、１３に回転可能に連結されているものである。
【００１３】
上記構成によると、電動モータ２１を正転・逆転させることにより一対のリンク部材２７、２７が回転する。このリンク部材２７、２７の回転によって一対のリンク部材２９、２９が動作し、それによって、一対のリンク部材１３、１３が動作する。この一対のリンク部材１３、１３が動作することによって、複数のルーバ要素１１が回動中心を中心にして回動することになる。そして、図７中時計方向に回動することにより、図１に示すように閉じることになる。逆に、図７中反時計方向に回動することにより、図２に示すように、開くことになる。
【００１４】
上記ルーバ要素１１は次のような構成になっている。すなわち、図５（ａ）に示すように、ルーバ要素１１は３個の部材１１ａ、１１ｂ、１１ｃから構成されていて、これら３個の部材１１ａ、１１ｂ、１１ｃを係合構造によって連結した構成になっている。まず、部材１１ａと部材１１ｂの連結構造を見てみると、部材１１ａ側には係合凸部３１、３１が形成されている。一方、部材１１ｂ側には係合凹部３３、３３が形成されている。上記係合凸部３１、３１を係合凹部３３、３３に係合させることによって、部材１１ａが部材１１ｂに連結・固定されることになる。
【００１５】
上記係合凸部３１と係合凹部３３との関係を詳細に説明する。図５（ｂ）に示すように、係合凸部３１側には係合突起３１ａが形成されている。一方、係合凹部３３側にも係合突起３３ａが形成されている。上記係合凸部３１を係合凹部３３内に挿入していくと、係合突起３１ａによって係合凹部３３側が拡開されていき、やがて係合突起３１ａと係合突起３３ａが係合することになり、それによって、係合凸部３１の係合凹部３３からの抜けが防止される状態となる。
【００１６】
次に、部材１１ｂと部材１１ｃの連結構造を見てみると、部材１１ｂ側には係合凸部３５、３５が形成されている。一方、部材１１ｃ側には係合凹部３７、３７が形成されている。上記係合凸部３５、３５を係合凹部３７、３７に係合させることによって、部材１１ｂが部材１１ｃに連結・固定されることになる。
【００１７】
上記係合凸部３５と係合凹部３７との関係を詳細に説明する。図５（ｃ）に示すように、係合凸部３５側には係合突起３５ａが形成されている。一方、係合凹部３７側にも係合突起３７ａが形成されている。上記係合凸部３５を係合凹部３７内に挿入していくと、係合突起３５ａによって係合凹部３７側が拡開されていき、やがて係合突起３５ａと係合突起３７ａが係合することになり、それによって、係合凸部３５の係合凹部３７からの抜けが防止される状態となる。
【００１８】
次に、前述したリンク部材２７の回動範囲を規制するための構成を説明する。図８に示すように、リンク部材２７の時計方向への回動限界は近接センサ４５によって検出されるように構成されている。すなわち、上記リンク部材２７の反対側には被検出部材２７ａが取り付けられている。上記近接センサ４５によって上記被検出部材２７ａの近接を検出することにより、リンク部材２７の時計方向への回動限界を検出する。それによって、リンク部材２７の時計方向への回動は停止されることになる。又、万一、リンク部材２７の時計方向への回動が停止しなかった場合には、ストッパ４３が機能することになる。すなわち、リンク部材２７がストッパ４３に当たることによりその回動が物理的に規制されることになる。
【００１９】
又、リンク部材２７の反時計方向への回動限界は近接センサ４１によって検出されるように構成されている。上記近接センサ４１によって上記被検出部材２７ａの近接を検出することにより、リンク部材２７の反時計方向への回動限界を検出する。それによって、リンク部材２７の反時計方向への回動は停止されることになる。又、万一、リンク部材２７の反時計方向への回動が停止しなかった場合には、ストッパ４７が機能することになる。すなわち、リンク部材２７がストッパ４７に当たることによりその回動が物理的に規制されることになる。
【００２０】
次に、内壁５について説明する。本実施の形態における内壁５は、図３に示すように、網戸状のものを使用している。すなわち、格子状に形成されていて、各内壁要素５ａは網戸状に構成されている。
【００２１】
次に、各構成部の材質であるが、まず、ルーバ装置３はアルミニウム製となっている。又、内壁はステンレス製となっている。
【００２２】
以上の構成を基にその作用を説明する。
まず、ルーバ装置３を閉じた状態を図１に示す。この場合には、リンク部材２７が図８中実線で示す状態にあり、図１に示すように、複数のルーバ要素１１が図１中時計方向に回動していて閉じた状態にある。
【００２３】
その状態から電動モータ２１を起動することにより、リンク部材２７を図８において反時計方向に回動させていく。それによって、図２に示すように、ルーバ要素を図中反時計方向に回動させ、それによって、図２に示すような開いた状態にするものである。
【００２４】
以上本実施の形態によると次のような効果を奏することができる。
まず、ルーバ装置３と通気性を備えた内壁５とによる二重壁構造になっているので、通気性を維持した状態で断熱効果を得ることができる。特に、高温多湿な地域において、建屋７の壁構造として使用しているので、快適な空間を得ることができる。
本実施の形態における建屋７の場合には、全ての壁を図示したようにルーバ設備１を使用した構成にしているので、快適な空間を提供することができると共に、そのような構成の建屋７を容易に構築することができる。
又、ルーバ装置３がアルミニウム製であって高い放熱効果を期待できるので、
ルーバ装置３の表面温度が高くならないという利点がある。又、それによっても高い断熱効果を得ることができる。
又、本実施の形態におけるルーバ要素１１は、３個の部材１１ａ、１１ｂ、１１ｃを相互の係合構造によって一体化させる構成になっているが、その係合構造が各部材１１ａ、１１ｂ、１１ｃを短手方向に移動させることによって係合させる構造になっているので、各部材の組立のために広い空間を必要とすることもない。
又、ルーバ要素１１において、例えば、先端の部材１１ａのみが破損した場合には、その部分のみを交換することができる。
【００２５】
次に、図９を参照して、本発明の第２の実施の形態を説明する。電動モータ２１は制御装置５１によって制御されるように構成されている。上記制御装置５１はタイマー回路５３と、制御回路５５とから構成されている。上記タイマー回路５３によっていつどの程度の開度でルーバ要素１１を開くかについて予め設定されており、制御回路５５はそのタイマー回路５３の設定情報に基づいて電動モータ２１を制御する。
その他の構成は前記第１の実施の形態の場合と同様であり、同一部分には同一符号を付して示しその説明は省略する。
【００２６】
よって、前記第１の実施の形態の場合と同様の効果を奏することができると共に、タイマー回路５３によって予め設定された情報に基づいてルーバ要素１１の開閉及び開度を自動的に制御することができ、より快適な状態を自動的に得ることができる。
【００２７】
次に、図１０を参照して、本発明の第３の実施の形態を説明する。電動モータ２１は制御装置６１によって制御されるように構成されている。又、雨水検出センサ６３が設置されていて、この雨水センサ６３からの検出信号に基づいて、ルーバ要素１１の開閉及び開度を自動的に制御するように構成されている。
例えば、雨が降ってきた場合には、これを雨水検出センサ６３によって検出し、それに基づいて制御装置６１が機能して電動モータ２１を制御して、ルーバ要素１１を閉じる、或いはその開度を小さくするものである。
その他の構成は前記第１の実施の形態の場合と同様であり、同一部分には同一符号を付して示しその説明は省略する。
【００２８】
よって、前記第１の実施の形態の場合と同様の効果を奏することができると共に、雨水検出センサ６３の検出信号に基づいてルーバ要素１１の開閉及び開度を自動的に制御することができ、より快適な状態を自動的に得ることができる。
【００２９】
尚、本発明は前記第１〜第３の実施の形態に限定されるものではない。
例えば、温度及び又は湿度を検出してその情報に基づいてルーバ要素１１の開閉及び開度を自動的に制御することも考えられる。
又、前記各実施の形態では、内壁として通気性を備えたステンレス製の網戸状のものを例に挙げて説明したが、それに限定されるものではない。例えば、光透過性のあるガラス板、アクリル板等の使用が考えられる。このような光透過性を備えた内壁を使用した場合には、ルーバ装置の開閉及び開度の制御によって内側空間への光透過量を調整することができる。
その他、図示した構成はあくまで一例である。
【産業上の利用可能性】
【００３０】
本発明はルーバ設備とそのようなルーバ設備を使用した建築物に係り、特に、ルーバと壁とを組み合わせることにより、断熱効果を高める等様々な作用・効果を得ることができるように工夫したものに関し、例えば、建屋の壁構造として好適である。
【図面の簡単な説明】
【００３１】
【図１】本発明の第１の実施の形態を示す図で、建築物としての建屋の壁構造を構成するルーバ設備であって閉じた状態の全体の構成を示す側面図である。
【図２】本発明の第１の実施の形態を示す図で、開いた状態のルーバ設備の全体の構成を示す側面図である。
【図３】本発明の第１の実施の形態を示す図で、図１のＩＩＩ−ＩＩＩ矢視図である。
【図４】本発明の第１の実施の形態を示す図で、図１のＩＶ−ＩＶ矢視図である。
【図５】本発明の第１の実施の形態を示す図で、ルーバ要素の構成を示す側面図である。
【図６】本発明の第１の実施の形態を示す図で、ルーバ装置を開閉するための駆動部の構成を示す側面図である。
【図７】本発明の第１の実施の形態を示す図で、ルーバ装置を開閉するためのリンク機構の構成を示す側面図である。
【図８】本発明の第１の実施の形態を示す図で、図７のＶＩＩＩ部を拡大して示す図である。
【図９】本発明の第２の実施の形態を示す図で、閉じた状態のルーバ設備の全体の構成を示す側面図である。
【図１０】本発明の第３の実施の形態を示す図で、閉じた状態のルーバ設備の全体の構成を示す側面図である。
【符号の説明】
【００３２】
１  ルーバ設備
３  ルーバ装置
５  内壁
７  建屋（建築物）
１１  ルーバ要素
１３  リンク部材
１５  ルーバ要素支持部材
１７  支持部材
１９  チャンネル部材
２１  電動モータ
２３  駆動シャフト
２５  軸受部材
２７  リンク部材
２９  リンク部材
３１  係合凸部
３１ａ  係合突起    
３３  係合凹部
３３ａ  係合突起
３５  係合凸部
３５ａ  係合突起    
３７  係合凹部
３７ａ  係合突起
４１  近接センサ
４３  ストッパ
４５  近接センサ
４７  ストッパ
【図１】
2009046917.tif 000003
【図２】
2009046917.tif 000004
【図３】
2009046917.tif 000005
【図４】
2009046917.tif 000006
【図５】
2009046917.tif 000007
【図６】
2009046917.tif 000008
【図７】
2009046917.tif 000009
【図８】
2009046917.tif 000010
【図９】
2009046917.tif 000011
【図１０】
2009046917.tif 000012